(57)【要約】  ハウジング（１８）のガード（１４）とキャップ（１７）との間に平行に設けられた複数の少なくとも５つの細長いブレードアセンブリ（１０）を備え、各ブレードアセンブリが鋭い刃先（１１）を有し、前記ブレードアセンブリの蓄積ブレード間スパンが約３ｍｍ以下である、ウェットシェービング用かみそりカートリッジ（５）。また、ハウジングのガードとキャップとの間に平行に設けられた複数の少なくとも４つの細長いブレードアセンブリを備え、各ブレードアセンブリが鋭い刃先を有し、前記ブレードアセンブリの蓄積ブレード間スパンが約２．５ｍｍ以下である、ウェットシェービング用かみそりカートリッジ。
2012502779.tif 000002
【特許請求の範囲】
【請求項１】
ハウジングのガードとキャップとの間に平行に設けられた複数の少なくとも５つの細長いブレードアセンブリを備え、
各ブレードアセンブリが鋭い刃先を有し、
前記ブレードアセンブリの累積ブレード間スパンが約３．２ｍｍ以下である、ウェットシェービング用かみそりカートリッジ。
【請求項２】
前記ブレードアセンブリの累積ブレード間スパンが約３ｍｍ以下である、請求項１に記載のウェットシェービング用かみそりカートリッジ。
【請求項３】
前記ブレードアセンブリの累積ブレード間スパンが約２．７５ｍｍ以下である、請求項１に記載のウェットシェービング用かみそりカートリッジ。
【請求項４】
ブレードアセンブリ間の各ブレード間スパンが約０．８５ｍｍである、請求項１に記載のウェットシェービング用かみそりカートリッジ。
【請求項５】
ハウジングのガードとキャップとの間に平行に設けられた複数の少なくとも４つの細長いブレードアセンブリを備え、
各ブレードアセンブリが鋭い刃先を有し、
前記ブレードアセンブリの累積ブレード間スパンが約２．５５ｍｍ以下である、ウェットシェービング用かみそりカートリッジ。
【請求項６】
ブレードアセンブリ間の各ブレード間スパンが約０．８５ｍｍである、請求項７に記載のウェットシェービング用かみそりカートリッジ。
【請求項７】
前記ブレードアセンブリのブレード剃毛角度が約２３°より大きい、請求項１に記載のウェットシェービング用かみそりカートリッジ。
【請求項８】
前記ブレードアセンブリが１つ以上の孔を備える、請求項１に記載のウェットシェービング用かみそりカートリッジ。
【請求項９】
前記孔が、スタンプ切断又はレーザー切断によって形成されている、請求項１２に記載のウェットシェービング用かみそりカートリッジ。
【請求項１０】
前記複数のブレードアセンブリが、それぞれ、前記刃先のそれぞれの後方に設けられた一体型の屈曲部分を更に備える、請求項１に記載のウェットシェービング用かみそりカートリッジ。
【請求項１１】
前記ブレードアセンブリが、前記ハウジング内に固定して取り付けられている、請求項１に記載のウェットシェービング用かみそりカートリッジ。
【請求項１２】
前記ブレードアセンブリが、前記ハウジング内に浮き上がるような動作が可能となるように取り付けられている、請求項１に記載のウェットシェービング用かみそりカートリッジ。
【請求項１３】
前記複数のブレードアセンブリが、前記複数のブレードアセンブリの対向する端部の一以上に設けられた１つ以上のクリップによって、前記ハウジング内に固定されている、請求項１に記載のウェットシェービング用かみそりカートリッジ。
【請求項１４】
前記ブレードアセンブリが前記ガードから前記キャップへ向けて配置されていくのにしたがって、前記複数のブレードアセンブリのブレードの露出度合いが増大していく、請求項１に記載のウェットシェービング用かみそりカートリッジ。
【請求項１５】
前記ガードから前記複数のブレードアセンブリのうちの最も近いブレードアセンブリまでのスパンが約１．４ｍｍ未満である、請求項１に記載のウェットシェービング用かみそりカートリッジ。
【発明の詳細な説明】
【技術分野】
【０００１】
本発明は、ウェットシェービング用かみそりカートリッジと、そのようなカートリッジを備えるかみそりに関し、そのようなカートリッジのブレード間スパンの合計は低下している。
【背景技術】
【０００２】
実現される剃毛の綿密さを向上させると同時に、快適なシェービング体験までも提供することを目的として、ウェットシェービング用かみそりは長年にわたり、多数のブレードを備えるように進化してきた。具体的には、皮膚から体毛を引き伸ばすように、ブレードアセンブリは、切断中に体毛とかみ合う鋭い刃先を備える。毛が引き伸ばされた後では、直ちには皮膚に引っ込まない。完全に引っ込む前に、第２のブレードが更に毛を切断して、いわゆる「ヒステリシスカッティング」をして、より綿密なシェービングという結果を得ることができる。複数のブレードを有するウェットシェービング用カミソリは、複数の切断事象及び引き伸ばし事象、並びに複数のヒステリシスカッティングの機会をもたらすことができる。
【０００３】
隣接した刃先間の距離、すなわちいわゆる「スパン」は、いくつかの形でシェービングプロセスに影響を与えると理論付けられている。刃先間のスパンは、皮膚がブレード間で膨らむ程度を制御して、より小さいスパンは、シェービング中のより少ない皮膚の膨らみ及びより大きい皮膚の快適さをもたらし得るが、ダブル係合の機会を増す可能性もある。より大きいスパンは、ダブル係合の機会を減らすことができるが、刃先間でのより大きい皮膚の膨らみ及びより小さい皮膚の快適さという結果になる可能性もある。刃先間、すなわちブレード間のスパンは、シェービング作業後のプレシェービング剤とヒゲ剃りくずのすすぎに影響を及ぼす場合があり、スパンが大きいほど、すすぎが簡単になるか又は速くなり、スパンが小さいほど、すすぎが遅くなるか又は困難になる。
【発明の概要】
【発明が解決しようとする課題】
【０００４】
したがって、サイズ、有効性及びすすぎやすさの点でシェーバーに適う、より多くの数のブレードをカートリッジ内に有するウェットシェービング用かみそりカートリッジを提供するニーズが存在する。
【課題を解決するための手段】
【０００５】
本発明は、
ハウジングのガードとキャップとの間に平行に設けられた複数の少なくとも５つの細長いブレードアセンブリを備え、各ブレードアセンブリが鋭い刃先を有し、
前記ブレードアセンブリの累積ブレード間スパンは約３．４ｍｍ以下である、ウェットシェービング用かみそりカートリッジに関する。
【０００６】
本発明は更に、
ハウジングのガードとキャップとの間に平行に設けられた複数の少なくとも４つの細長いブレードアセンブリを備え、各ブレードアセンブリが鋭い刃先を有し、
前記ブレードアセンブリの累積ブレード間スパンは約２．５５ｍｍ以下である、ウェットシェービング用かみそりカートリッジに関する。
【図面の簡単な説明】
【０００７】
【図１】本発明のかみそりカートリッジの斜視図。
【図２】図１のかみそりカートリッジの代替的なブレード外形の斜視図。
【発明を実施するための形態】
【０００８】
具体的な実施形態では、本発明は、ウェットシェービング用かみそりカートリッジと、そのようなカートリッジを備えるかみそりに関し、このカートリッジは、ハウジングのガードとハウジングのキャップとの間に平行に設けられた複数の少なくとも５つの細長いブレードアセンブリを備え、各ブレードアセンブリが鋭い刃先を有し、このブレードアセンブリの累積ブレード間スパンは約３．４ｍｍ以下である。別の実施形態では、本発明は、ウェットシェービング用かみそりカートリッジと、そのようなカートリッジを備えるかみそりに関し、このカートリッジは、ハウジングのガードとハウジングのキャップとの間に平行に設けられた複数の少なくとも４つの細長いブレードアセンブリを備え、各ブレードアセンブリが鋭い刃先を有し、このブレードアセンブリの累積ブレード間スパンは約２．５５ｍｍ以下である。
【０００９】
多数のブレードアセンブリを有する本発明のかみそりカートリッジでは、最前方、すなわち主要なブレードアセンブリの後ろの各ブレードアセンブリのブレードスパンは一般に、そのブレードアセンブリの刃先から、そのブレードアセンブリのすぐ前のブレードアセンブリの刃先までの距離となる。したがって、これらの後続のブレードアセンブリ群に関しては、「ブレード間スパン」、つまり「ＳＩＢ」と称するのが利便的である。本明細書で使用する場合、「累積ブレード間スパン」、つまり「ＳＣＩＢ」は、図１に示されているように、最前方のブレードアセンブリの刃先（すなわち、ガードに最も近い刃先）から、最後方のブレードアセンブリの刃先（すなわち、キャップに最も近い刃先）までのブレード間スパン全体を指すものとする。
【００１０】
図１には、本発明のかみそりカートリッジ５が示されている。このカートリッジは、ハウジング１８と、鋭い刃先１１を有する少なくとも５つの細長いブレードアセンブリ１０とを備える。ブレードアセンブリ１０は、ガード１４とキャップ１７との間に設けられている。この実施形態のガード１４は、任意の複数のエラストマーフィン２０を更に備える。このようなフィンは、ガードの長さ方向に走る実質的に平行な伸長部の形をとってよい。あるいは、これらのフィンは、複数の湾曲突出部、例えば、円形チューブ、半円形突出部、山形突出部など、及び、更にはこれらの組み合わせを備えてもよい。キャップ１７は、潤滑ストリップ１６を備えてもよい。このような潤滑ストリップは、シェービング作業が完了するとシェーバーによってもたらされる外観及び感覚を向上させるスキンコンディショニング剤を含んでもよい。潤滑ストリップは、シェービング中にストリップ材から徐々に浸出する潤滑剤のようなシェービング促進製品を含んでもよい。更には、フィンがキャップの上にくると共に、潤滑ストリップがガードの上に設けられるように、突出部及び潤滑ストリップの位置を変えてもよい。
【００１１】
ブレードアセンブリ１０は、そのブレードアセンブリの長さ沿いに１つ以上の孔１２を任意で備える。この孔は、ブレードアセンブリの一体性、すなわちブレードアセンブリの強度を保持できるいずれかの妥当なサイズのものであってよい。この孔は、刃先の実質的に後方、例えば、ブレードアセンブリの支持部分に至るブレードアセンブリ１０の屈曲部の近くに設けても、その屈曲部の前方に来るように、ブレードアセンブリの刃先に実質的に近い方に設けてもよい。また、孔は、いずれかの好適な形、例えば、円形、楕円形、長方形、正方形、三角形、スリット、又はこれらの組み合わせのものであってよい。好適な有孔ブレードアセンブリの配列は、「Ｒａｚｏｒ  Ｃａｒｔｒｉｄｇｅｓ  ｗｉｔｈ  Ｐｅｒｆｏｒａｔｅｄ  Ｂｌａｄｅ  Ａｓｓｅｍｂｌｉｅｓ」という名称の同時係属・同時出願の米国特許出願第＿＿＿＿＿＿号に詳細に開示されている。図１では、ブレードアセンブリ１０は、長方形の形であり、ブレードアセンブリの屈曲部１３と同一の空間を占めるように配置される孔１２を有する。しかし、これらの孔は、いずれの形のもの、例えば、円形、三角形などのものであってもよい。図２には、本発明の発明物に適した代替的なブレードアセンブリが示されている。更には、これらの孔１１２は、屈曲部１１３の実質的に前方に設けられている。このような孔は、シェービング及びすすぎの最中にヒゲ剃りくずを容易に解放させる開口区域をもたらすので、かみそりカートリッジ全体のすすぎやすさを向上させるのに役立つことを本出願者らは発見した。これらの孔は、スタンプ切断、レーザー切断、又はブレードアセンブリ材に開口を形成するいずれかの他の手段によって形成されてよい。更には、これまでにあったような上方部分と下方部分とは対照的に、ブレードアセンブリ１０及び１１０は、単一の材料片から作られるように、屈曲部に屈曲部分を備える。
【００１２】
累積スパンの縮小に関しては、ブレード間スパンの狭小化によって得られる快適性が、ヒゲ剃りくず、例えば、体毛及び／又はプレシェービング剤を無くすことができる複合的なブレードかみそりカートリッジのみで実現可能であることに本出願者らは気が付いた。したがって、本発明の特定の実施形態では、ウェットシェービング用かみそりカートリッジは、ハウジングのガードとハウジングのキャップとの間に平行に設けられた複数の少なくとも５つの細長いブレードアセンブリを備え、各ブレードアセンブリが鋭い刃先を有し、前記ブレードアセンブリの累積ブレード間スパンは、約３．４ｍｍ以下、約３．２ｍｍ以下、約２．７５ｍｍ以下、約２．５ｍｍ以下、約２．４ｍｍ以下、約２．２ｍｍ以下、約２ｍｍ以下、及び更には約１．８ｍｍ以下である。特定の他の実施形態では、ウェットシェービング用カートリッジは、ハウジングのガードとハウジングのキャップとの間に平行に設けられた複数の少なくとも４つの細長いブレードアセンブリを備え、各ブレードアセンブリが鋭い刃先を有し、前記ブレードアセンブリの累積ブレード間スパンは、約２．５５ｍｍ以下、約２．４ｍｍ以下、約２．２ｍｍ以下、約２．１ｍｍ以下、約１．８ｍｍ以下、約１．７ｍｍ以下、約１．５５ｍｍ以下、約１．４ｍｍ以下、及び更には約１．３５ｍｍ以下である。
【００１３】
本明細書に詳述されている本発明の実施形態では、ブレード間スパン（ＳＩＢ）は相互に等しい可能性が高い。図２に示されているように、５つの細長いブレードアセンブリが存在するケースでは、第１のブレード間スパン（すなわち、ガードに最も近い主要なブレードアセンブリと、次の第２のブレードアセンブリとの間のスパン）Ｓ１、第２のブレード間スパンＳ２、第３のブレード間スパンＳ３及び第４のブレード間スパンＳ４はそれぞれ相互に等しい。少なくとも４つ又は５つのブレードアセンブリが存在するケースでは、ブレード間スパンＳＩＢは、約０．８５ｍｍ以下、０．８ｍｍ以下、０．７５ｍｍ以下、０．７ｍｍ以下、０．６５ｍｍ以下、０．６ｍｍ以下、０．５５ｍｍ以下、０．５ｍｍ以下、０．４５ｍｍ以下である。他のケースでは、ブレード間スパンは、かみそりカートリッジの累積スパンにわたって異なってよい。例えば、図２の５つのブレードアセンブリの実施形態では、Ｓ１は、Ｓ２、Ｓ３及びＳ４のそれぞれよりも広くてもよく、これらの４つのスパンは、相互に等しくても相互に異なっていてもよい。
【００１４】
本発明の別の重要な態様は、ガードに最も近いブレードアセンブリとの間のスパン、又は、最後のブレードアセンブリとキャップとの間のスパンに関する。本出願者らは、本発明の焦点がブレード間スパンであることから見て、ガードと複数のブレードアセンブリのうちの最も近いブレードアセンブリとの間のスパンを約１．４ｍｍ未満に、より詳細には約０．５ｍｍ〜約１．４ｍｍに、又は更には０．５ｍｍ〜約０．９ｍｍに保持するのが有用であり得ることを付随的に発見した。上記の距離は、キャップと複数のブレードアセンブリのうちの最も近いブレードアセンブリとの間にも当てはまる。製造的見地から、この追加的なスパンによって、カートリッジのすすぎやすさが更に向上するうえに、同じ製造設備を用いながら様々なタイプのカートリッジのプラットフォーミングが可能になる場合もある。
【００１５】
本出願者らは、理論によって制限されることなく、少なくとも、シェービング中に皮膚の上でかみそりカートリッジを動かすと、ブレードアセンブリの刃先のすぐ前に必然的に形成される皮膚の膨張のサイズは、ブレードスパンによってある程度左右され、皮膚の膨張のサイズはドラグ特性に強い影響を及ぼすと考えている。
【００１６】
ブレードの刃先の切れ味が悪くなった際に、かみそり全体を破棄する意図で、本発明のウェットシェービング用かみそりカートリッジを取り外せない形でハンドルに取り付けてよい。あるいは、ブレードアセンブリが効率的なシェービングに必要な切れ味を失った際に、ハンドル上のカートリッジを交換するように、本発明のウェットシェービング用カートリッジを取り外し可能にハンドルに取り付けてもよい。典型的なカートリッジでは、ブレードアセンブリは通常、ハウジング（通常、成型プラスチックフレームである）に収容され、ひいては、ブレードアセンブリが、シェービング中に皮膚によってブレードアセンブリに加わる力を受けて、フレーム内でそれぞれ独立するか又はまとまって動くように、ブレードアセンブリを支えてもよい。ハウジング内の支持部の１つの実施形態では、ブレードアセンブリが、ブレード保持部材のスロット内に固定して取り付けられる。大半のケースでは、ハウジングの長手方向に沿って設けられた１つ以上の剛性ブレード保持部材が存在し、剛性ブレード保持部材内に設けられたブレードアセンブリを十分かつ動かないように支えるようになる。別のケースでは、ブレードアセンブリを浮き上がり動作が可能な形（自由に動く形、浮動可能な形、上下動可能な形）でハウジング内に取り付けてもよい。このケースでは、１つ以上のバネ仕掛けのブレード保持部材によって複数のブレードアセンブリが支えられており、このようなブレードアセンブリは、シェービング中に加わる力に対応できるようになる。このハウジングは、前方部分にガードを備える。このガードは、複数のブレードアセンブリのすぐ前で、ユーザーの皮膚と接触する。ハウジング内の複数のブレードアセンブリの後ろ、かつ後方部分近くにキャップが配置されている。このキャップは、シェービング作業中に、複数のブレードアセンブリのすぐ後ろの皮膚と接触する。ガードとキャップの双方があるケースでは、ガードとキャップはそれぞれ、ハウジングに接合しているか又はハウジングと一体的である追加的な要素を備えてもよい。
【００１７】
本発明の各実施形態では、いずれかの所定のウェットシェービング用かみそりカートリッジで得られる快適性のレベルは、シェービングの幾何形状（構成要素と接触する皮膚の相対的位置付け）による影響を強く受ける。シェービングの幾何形状の重要なパラメーターとしては、刃先の先端が上方に突き出している距離、又は下方に引っ込んでいる距離であるブレードの露出度合い、刃先のすぐ前の部分及びすぐ後ろの部分と接触する皮膚に接する平面、ガード及びキャップ表面に接する平面（接平面）の方にブレード平面が傾いている角度であるブレードの接線角度（ブレードの剃毛角度としても知られる）、並びに、刃先と、刃先の前の要素と接触する皮膚とに接する平面に見られるように、刃先のすぐ前の要素と接触する皮膚から刃先が隔置されている距離であるブレードスパンが挙げられる。本発明では、米国特許第６２１２７７７号に詳述されているように、段階的なブレード露出を用いてもよい。
【００１８】
本明細書に開示される寸法及び値は、列挙された正確な数値に厳しく制限されるものとして理解されるべきでない。それよりむしろ、特に指定されない限り、各こうした寸法は、列挙された値とその値周辺の機能的に同等の範囲の両方を意味することを意図する。例えば、「４０ｍｍ」として開示される寸法は、「約４０ｍｍ」を意味するものとする。
【００１９】
「発明を実施するための形態」で引用したすべての文献は、関連部分において本明細書に参考として組み込まれるが、いずれの文献の引用も、それが本発明に関して先行技術であることを容認するものとして解釈されるべきではない。本書における用語の任意の意味又は定義が、参照として組み込まれた文献における同一の用語の任意の意味又は定義と相反する限りにおいて、本書においてその用語に与えられた意味又は定義が適用されるものとする。
【００２０】
本発明の特定の実施形態について説明し記載したが、本発明の趣旨及び範囲から逸脱することなく他の様々な変更及び修正が可能であることが当業者には自明である。したがって、本発明の範囲内にあるそのようなすべての変更及び修正を、添付の特許請求の範囲で扱うものとする。
【図１】
2012502779.tif 000003
【図２】
2012502779.tif 000004
【国際調査報告】
2012502779.tif 000005
2012502779.tif 000006
2012502779.tif 000007
2012502779.tif 000008
2012502779.tif 000009
2012502779.tif 000010